(57)【要約】【課題】切換動作前後の通電状態にあっても絶縁破壊が起きる心配のない、信頼性に優れた負荷時タップ切換装置を提供する。【解決手段】タップＴ２には可動接触子Ｍ１と、限流抵抗Ｒ１と、保護スイッチＲＳ１と、第１抵抗真空バルブＷ１を順次直列に接続する。また、タップＴ３には可動接触子Ｍ２と、限流抵抗Ｒ２と、保護スイッチＲＳ２と、第２抵抗真空バルブＷ２を順次直列に接続する。抵抗真空バルブＷ１、Ｗ２は中性点Ｎに接続する。抵抗真空バルブＷ１、Ｗ２は中性点Ｎと限流抵抗Ｒ１、Ｒ２との遮断および接続を行う。保護スイッチＲＳ１、ＲＳ２は、切換スイッチＳの切換動作前に非通電状態にある抵抗真空バルブＷ１、Ｗ２と回路を接続し、切換スイッチＳの切換動作後に通電状態にある抵抗真空バルブＷ１、Ｗ２との回路を遮断する。【選択図】図４
2013243194.tif 000002
【特許請求の範囲】
【請求項１】
通電状態の切換動作を行う切換スイッチと、
回路の遮断動作を行う真空バルブと、
前記真空バルブにかかる電圧負荷の遮断を行う保護スイッチを備え、
前記保護スイッチは、前記切換スイッチの切換動作前に、非通電状態にある前記真空バルブと回路を接続し、前記切換スイッチの切換動作後に、通電状態にある前記真空バルブとの回路を遮断するように構成したことを特徴とする負荷時タップ切換装置。
【請求項２】
前記切換スイッチを絶縁筒内面に取り付け、前記絶縁筒内面と同一面上に前記保護スイッチを設置したことを特徴とする請求項１に記載の負荷時タップ切換装置。
【請求項３】
前記保護スイッチは回転自在な可動通電接触子と、この可動通電接触子に接離自在な通電接触子とからなり、
前記可動通電接触子に取り付けた摺動軸と、
蓄勢された動力によって回転する駆動軸と、
前記駆動軸と同期回転するアームと、
前記アームに形成し前記摺動軸を挿入する摺動溝と、
を備えたことを特徴とする請求項１または請求項２に記載の負荷時タップ切換装置。
【請求項４】
前記保護スイッチは回転自在な可動通電接触子と、この可動通電接触子に接離自在な通電接触子とからなり、
前記可動通電接触子に取り付けた摺動軸と、
蓄勢された動力によって回転する駆動軸と、
前記駆動軸と同期回転する前記アームと、
前記アームに形成する摺動溝と、
前記摺動溝に挿入され前記摺動溝に沿って動作するジョイントと、
前記ジョイントに形成し前記摺動軸を挿入するスライド溝を備えたことを特徴とする請求項１または請求項２に記載の負荷時タップ切換装置。
【請求項５】
タップ巻線と中性点の間にタップ巻線のタップを選択する２個の可動接触子を要したタップ選択器と、
複数の固定接点と、これらの固定接点の一つと接離自在な可動接点とからなる切換スイッチと、
前記タップ選択器の前記可動接触子の一つと直列に接続し、通電状態の切換時に発生する循環電流を抑制する限流抵抗と、
前記限流抵抗と直列に接続した抵抗真空バルブと、
前記切換スイッチの前記可動接点と中性点との間に直列で、且つ前記抵抗真空バルブと並列に接続した主真空バルブと、を備えており、
前記保護スイッチを、前記限流抵抗と前記抵抗真空バルブの間に設置したことを特徴とする請求項１〜４のいずれか１項に記載の負荷時タップ切換装置。
【請求項６】
非通電タップ側の前記保護スイッチが動作する前、非通電タップ側の前記抵抗真空バルブを閉極させていることを特徴とする請求項５に記載の負荷時タップ切換装置。
【請求項７】
前記保護スイッチを、複数の固定接点とこれらの固定接点の一つと接続または遮断を自在とする可動接点を有する切換スイッチとし、
前記固定接点の一つを前記中性点と接続し、
別の前記固定接点を前記限流抵抗と直列に接続し、
前記可動接点を前記抵抗真空バルブに接続し、
前記保護スイッチが前記限流抵抗と前記抵抗真空バルブを結ぶ回路を遮断する際は、前記保護スイッチの前記可動接点が前記中性点側の前記固定接点と接続し、
前記保護スイッチが前記限流抵抗と前記抵抗真空バルブを結ぶ回路を接続する際は、前記可動接点が前記中性点側の前記固定接点から開離し、前記限流抵抗側の前記固定接点と接続することを特徴とする請求項５または請求項６に記載の負荷時タップ切換装置。
【発明の詳細な説明】
【技術分野】
【０００１】
本発明の実施形態は、真空バルブ遮断方式の負荷時タップ切換装置に関する。
【背景技術】
【０００２】
一般に、送配電系統に接続される変圧器には、送配電系統の電圧を調整し安定化させるために、負荷時タップ切換装置が組み込まれている。負荷時タップ切換装置はタップ選択器および切換開閉器から構成されている。タップ選択器はタップ巻線と中性点の間に可動接触子を備えており、この可動接触子によってタップ巻線のタップを選択する。
【０００３】
また、切換開閉器は切換スイッチを備えており、タップ選択器にて選択された一対のタップ間に、抵抗を介した短絡状態を作り、切換スイッチによって負荷電流を流すタップの切換を行う。このような切換開閉器では負荷電流を切断することなく、電圧の切換を行うことができる。
【０００４】
切換開閉器において、通電経路を変更する際の遮断方式は多岐にわたる。例えば、２つの限流抵抗と３本の真空バルブを用いた２抵抗３真空バルブ方式が広く知られている（特許文献１〜３など）。この方式では、限流抵抗が切換時に流れる循環電流を抑制し、真空バルブが回路の遮断動作を行う。３本の真空バルブのうち、１本は主真空バルブ、残りの２本は抵抗真空バルブである。主真空バルブは切換スイッチと直列に接続されている。抵抗真空バルブは主真空バルブに並列に接続され、且つ限流抵抗と直列に接続されている。
【０００５】
これら３本の真空バルブの開閉動作について説明する。切換スイッチの切換動作前の状態として、主真空バルブは閉極状態、通電タップ側の抵抗真空バルブは閉極状態、非通電タップ側の抵抗真空バルブは開極状態にあるとする。この状態から、切換スイッチが切換動作を開始すると、切換動作の途中で非通電タップ側の抵抗真空バルブが閉極する。次に、主真空バルブが開極し、切換スイッチの切換動作が終わると、主真空バルブが閉極する。最後に切換動作前に通電していた抵抗真空バルブが開極する。
【先行技術文献】
【特許文献】
【０００６】
【特許文献１】特開２００９−２９０００５号公報
【特許文献２】特開２００８−１３５６５１号公報
【特許文献３】特開２００７−２２７９０８号公報
【発明の概要】
【発明が解決しようとする課題】
【０００７】
従来の負荷時タップ切換装置では、切換スイッチが切換動作を行う前後の通電状態において、開極中の抵抗真空バルブに常時電圧が負荷される。したがって、真空バルブの定格を超える電圧が抵抗真空バルブに負荷されると、開極中の抵抗真空バルブにて絶縁破壊が起こるおそれがある。そこで、負荷時タップ切換装置には、切換動作前後の通電状態にあっても抵抗真空バルブを保護することが要請されていた。
【０００８】
本実施形態に係る負荷時タップ切換装置は、以上の課題を解決するために提案されたものである。本実施形態の目的は、真空バルブを保護する保護スイッチを備えることにより、切換動作前後の通電状態にあっても確実に保護することができ、信頼性に優れた負荷時タップ切換装置を提供することである。
【課題を解決するための手段】
【０００９】
上記の目的を達成するために、本実施形態の負荷時タップ切換装置は、以下の（ａ）〜（ｃ）を備え、さらに（ｄ）の特徴を有している。
（ａ）通電状態の切換動作を行う切換スイッチ。
（ｂ）回路の遮断動作を行う真空バルブ。
（ｃ）前記真空バルブにかかる電圧負荷の遮断を行う保護スイッチ。
（ｄ）前記保護スイッチは、前記切換スイッチの切換動作前に非通電状態の前記真空バルブと回路を接続し、前記切換スイッチの切換動作後に通電状態の前記真空バルブとの回路を遮断するように構成する。
【図面の簡単な説明】
【００１０】
【図１】代表的な実施形態の斜視図。
【図２】本実施形態の平面図。
【図３】本実施形態の斜視図。
【図４】本実施形態の回路構成および切換動作図。
【図５】本実施形態の回路構成および切換動作図。
【図６】本実施形態の切換シーケンス図。
【図７】本実施形態においてフロート回路を解消する時の切換動作図。
【図８】本実施形態においてフロート回路を解消する時の切換シーケンス図。
【図９】他の実施形態の斜視図。
【図１０】他の実施形態においてフロート回路を解消する時の切換動作図。
【図１１】他の実施形態における保護スイッチの平面図。
【図１２】他の実施形態における保護スイッチの正面図。
【発明を実施するための形態】
【００１１】
以下、本実施形態の負荷時タップ切換装置について、図１〜図１０を参照して具体的に説明する。
（１）代表的な実施形態
（構成の概要）
本実施形態は２抵抗３真空バルブ方式の負荷時タップ切換装置である。負荷時タップ切換装置はタップ選択器および切換開閉器から構成されている。切換開閉器には、切換動力を蓄勢する蓄勢機構と、通電経路を変更する三相分の通電切換機構と、切換時に通電部の循環電流を抑制する限流抵抗とから構成されている。図１に通電切換機構の斜視図を示す。
【００１２】
図１に示すように、通電切換機構には絶縁筒１５が設けられ、その中心部には絶縁筒１５の軸方向に沿って駆動軸１が設置されている。駆動軸１は蓄勢機構（図示せず）によって蓄勢された動力によって回転する。駆動軸１にはカム２および切換スイッチ可動部３が取り付けられている。絶縁筒１５の内周面付近に真空バルブ５および切換スイッチ６が設置されている。
【００１３】
真空バルブ５は主真空バルブ、第１抵抗真空バルブ、第２抵抗真空バルブという三種の真空バルブからなる。切換スイッチ６は２つの固定接点と可動接点とからなる。このような通電切換機構では、駆動軸１が回転すると、その動力がカム２および切換スイッチ可動部３に伝わり、カム２が真空バルブ５の開閉動作を行い、切換スイッチ可動部３が切換スイッチ６の切換動作を行うようになっている。
【００１４】
（特徴的な構成）
本実施形態は、通常運転時に真空バルブ５にかかる電圧負荷の遮断を行う保護スイッチ７を組み込んだ点に特徴がある。図１に示すように、保護スイッチ７はアーム４によって切換動作を行うようになっている。アーム４は駆動軸１と同期回転するように駆動軸１に取り付けられている。保護スイッチ７は、絶縁筒１５の内周面付近であって、切換スイッチ可動部３の下部であって、切換スイッチ６に近接して配置されている。
【００１５】
（保護スイッチユニット）
図２および図３を用いて、保護スイッチ７を含む保護スイッチユニットについて説明する。図２に示すが、保護スイッチ７は通電経路を変更する通電切換機構の三相それぞれに設けられている。保護スイッチ７は、可動通電接触子９と、それに接離自在な通電接触子１１とから構成されている。
【００１６】
可動通電接触子９は１つの保護スイッチ７につき、第１抵抗真空バルブ側と第２抵抗真空バルブ側の二箇所に設置されている。可動通電接触子９は回転軸１０を中心に回転自在に配置されており、その端部に摺動軸８が取り付けられている。可動通電接触子９端部の摺動軸８はアーム４の摺動溝４ａに摺動自在に挿入されている。摺動溝４ａはアーム４の周縁部に沿って掘られた溝である。
【００１７】
このような保護スイッチユニットでは、駆動軸１が回転すると、その動力がアーム４に伝わり、摺動溝４ａに沿って摺動軸８が移動する。したがって、可動通電接触子９が回転軸１０を中心に回転し、可動通電接触子９は通電接触子１１に接触または開離する。可動通電接触子９が通電接触子１１から開離すれば、切換動作後に開極状態にある真空バルブ５側の経路を遮断することになる。つまり、保護スイッチ７は真空バルブ５を電圧から保護する構成を持っている。
【００１８】
図４および図５は本実施形態の切換動作を模擬的に表した回路構成および動作を示す図である。図６は本実施形態の切換シーケンス図である。図４、図５に示すように、タップ選択器は可動接触子Ｍ１、Ｍ２を備えており、可動接触子Ｍ１、Ｍ２によってタップ巻線ＴＷのタップＴ２、Ｔ３のいずれかを選択するものである。
【００１９】
タップＴ２には可動接触子Ｍ１と、限流抵抗Ｒ１と、保護スイッチＲＳ１と、第１抵抗真空バルブＷ１が順次直列に接続されている。また、タップＴ３には可動接触子Ｍ２と、限流抵抗Ｒ２と、保護スイッチＲＳ２と、第２抵抗真空バルブＷ２が順次直列に接続されている。抵抗真空バルブＷ１、Ｗ２は中性点Ｎに接続されている。抵抗真空バルブＷ１、Ｗ２は中性点Ｎと限流抵抗Ｒ１、Ｒ２との遮断および接続を行うようになっている。
【００２０】
以上の回路構成において、保護スイッチＲＳ１、ＲＳ２は図１の保護スイッチ７である。保護スイッチＲＳ１、ＲＳ２は、抵抗真空バルブＷ１、Ｗ２と限流抵抗Ｒ１、Ｒ２との間に接続されている。保護スイッチＲＳ１、ＲＳ２は、切換スイッチＳの切換動作前に非通電状態にある抵抗真空バルブＷ１、Ｗ２と回路を接続し、切換スイッチＳの切換動作後に通電状態にある抵抗真空バルブＷ１、Ｗ２との回路を遮断するように構成されている。
【００２１】
可動接触子Ｍ１および限流抵抗Ｒ１には固定接点ＳＡが接続され、可動接触子Ｍ２および限流抵抗Ｒ２には固定接点ＳＢが接続されている。さらに固定接点ＳＡまたはＳＢと接続される可動接触子ＳＣが設けられている。これら固定接点ＳＡ、ＳＢおよび可動接触子ＳＣによって切換スイッチＳ（図１の切換スイッチ６）が構成される。
【００２２】
可動接触子ＳＣには主真空バルブＨが接続されている。主真空バルブＨには中性点Ｎが接続されている。そのため、主真空バルブＨは切換スイッチＳと中性点Ｎとの遮断および接続を行うようになっている。また、主真空バルブＨは抵抗真空バルブＷ１、Ｗ２と並列に接続されている。これら３本の真空バルブが図１の真空バルブ５である。
【００２３】
（切換動作）
本実施形態は次のように切換動作を行う。図４の（ａ）では切換動作前にタップＴ２側が通電している状態を示している。この場合、切換スイッチＳの可動接触子ＳＣが固定接点ＳＡに接続され、タップ選択器の可動接触子Ｍ１がタップ巻線ＴＷに接続されている。
【００２４】
また、タップＴ２側の抵抗真空バルブＷ１と主真空バルブＨが閉極、通電していないタップＴ３側の抵抗真空バルブＷ２が開極状態にある。さらに、保護スイッチＲＳ１は通電状態の抵抗真空バルブＷ１と回路を接続した状態、保護スイッチＲＳ２は非通電状態の抵抗真空バルブＷ２と回路を遮断した状態にある。このとき、負荷電流は中性点Ｎから主真空バルブＨ、切換スイッチＳの可動接触子ＳＣ、固定接点ＳＡ、タップ巻線ＴＷという回路に流れる。
【００２５】
上記（ａ）の状態から切換動作を開始すると、図４の（ｂ）に示すように、保護スイッチＲＳ２はタップＴ３側の抵抗真空バルブＷ２と回路を接続する。次に図４の（ｃ）に示すように、主真空バルブＨが開極する。これにより、負荷電流は中性点Ｎから抵抗真空バルブＷ１、限流抵抗Ｒ１、タップ巻線ＴＷという回路に流れる。
【００２６】
続いて図４の（ｄ）に示すように、非通電タップＴ３側の抵抗用バルブＷ２が閉極し、限流抵抗Ｒ２、抵抗真空バルブＷ２および抵抗真空バルブＷ１、限流抵抗Ｒ１を介して、短絡回路を形成する。この短絡回路には循環電流が流れる。また、負荷電流が、中性点Ｎから、抵抗真空バルブＷ１および限流抵抗Ｒ１の回路と、抵抗真空バルブＷ２および限流抵抗Ｒ２の回路に、限流抵抗Ｒ１、Ｒ２の抵抗比に見合って分流する。Ｒ１=Ｒ２とすれば、負荷電流は中性点Ｎから、抵抗真空バルブＷ１および限流抵抗Ｒ１の回路と、抵抗真空バルブＷ２および限流抵抗Ｒ２の回路とに、２分して流れることになる。
【００２７】
さらに図４の（ｅ）に示すように、切換スイッチＳが動作を開始する。すなわち、切換スイッチＳの可動接触子ＳＣが、可動接触子Ｍ１側の固定接点ＳＡから開離して、可動接触子Ｍ２側の固定接点ＳＢへと移動する。そして図４の（ｆ）に示すように、タップＴ２側の抵抗真空バルブＷ１が開極し、循環電流を遮断する。その後、図４の（ｇ）に示すように、切換スイッチＳの可動接触子ＳＣが、可動接触子Ｍ２側の固定接点ＳＢに接触する。
【００２８】
続いて図４の（ｈ）に示すように、主真空バルブＨが閉極する。そのため、負荷電流は中性点Ｎから主真空バルブＨ、切換スイッチＳの可動接触子ＳＣ、固定接点ＳＢを経て、タップ選択器の可動接触子Ｍ２からタップＴ３、タップ巻線ＴＷという回路に移る。最後に図４の（ｉ）に示すように、保護スイッチＲＳ１は非通電状態の抵抗真空バルブＷ１と回路を遮断する。
【００２９】
図５の（Ａ）では切換動作前にタップＴ３側が通電している状態を示している。この場合、切換スイッチＳの可動接触子ＳＣが固定接点ＳＢに接続され、タップ選択器の可動接触子Ｍ２がタップ巻線ＴＷに接続されている。
【００３０】
また、タップＴ３側の抵抗真空バルブＷ２と主バルブＨが閉極、通電していないタップＴ２側の抵抗真空バルブＷ１が開極状態にある。さらに、保護スイッチＲＳ１は非通電状態の抵抗真空バルブＷ１と回路を遮断した状態、保護スイッチＲＳ２は通電状態の抵抗真空バルブＷ２と回路を接続した状態にある。このとき、負荷電流は中性点Ｎから主バルブＨ、切換スイッチＳの可動接触子ＳＣ、固定接点ＳＢ、タップ巻線ＴＷという回路に流れる。
【００３１】
上記（Ａ）の状態から切換動作を開始すると、図５の（Ｂ）に示すように、保護スイッチＲＳ１はタップＴ２側の抵抗真空バルブＷ１と回路を接続する。次に図５の（Ｃ）に示すように、主真空バルブＨが開極する。続いて図５の（Ｄ）に示すように、非通電タップＴ２側の抵抗真空バルブＷ１が閉極する。
【００３２】
そして、図５の（Ｅ）に示すように、切換スイッチＳが動作を開始する。すなわち、切換スイッチＳの可動接触子ＳＣが、可動接触子Ｍ２側の固定接点ＳＢから開離して、可動接触子Ｍ１側の固定接点ＳＡへと移動する。そして図５の（Ｆ）に示すように、タップＴ３側の抵抗真空バルブＷ２が閉極する。その後、図５の（Ｇ）に示すように、切換スイッチＳの可動接触子ＳＣが可動接触子Ｍ１側の固定接点ＳＡに接触する。
【００３３】
続いて図５の（Ｈ）に示すように、主真空バルブＨが閉極する。そのため、負荷電流は中性点Ｎから主真空バルブＨ、切換スイッチＳの可動接触子ＳＣ、固定接点ＳＡを経て、タップ選択器の可動接触子Ｍ１からタップＴ３、タップ巻線ＴＷという回路に移る。最後に図５の（Ｉ）に示すように、保護スイッチＲＳ２は非通電状態の抵抗真空バルブＷ２と回路を遮断する。
【００３４】
以上のような切換動作を行う負荷時タップ切換装置では、切換動作が終了した時点で、遮断状態にある保護スイッチＲＳ１、ＲＳ２と、開極状態にある抵抗真空バルブＷ１、Ｗ２の間の回路がフロート回路となってしまう。そこで本実施形態では、フロート回路を解消するために、図７および図８に示すような切換動作を行っている。図７は切換動作図であり、図８は切換シーケンス図である。
【００３５】
すなわち、図７および図８の（ｙ）は、図４および図６の（ａ）の前段階であり、保護スイッチＲＳ１が抵抗真空バルブＷ１と回路を接続した状態にあり、保護スイッチＲＳ２が抵抗真空バルブＷ２と回路を遮断した状態にある。このとき、本実施形態では非通電であるタップＴ３側の抵抗真空バルブＷ２を閉極状態にする。
【００３６】
また、図７および図８の（ｚ）は、図５および図６の（Ａ）の前段階であり、保護スイッチＲＳ１が抵抗真空バルブＷ１と回路を遮断した状態にあり、保護スイッチＲＳ２が抵抗真空バルブＷ２と回路を接続した状態にある。このとき、本実施形態では非通電であるタップＴ２側の抵抗真空バルブＷ１を閉極状態にする。このように保護スイッチＲＳ１、ＲＳ２を遮断した後に、開極側の抵抗真空バルブＷ１、Ｗ２を閉極することによって、前記フロート回路を解消している。
【００３７】
（作用効果）
本実施形態によれば、切換スイッチＳが切換動作を行う前後の通電状態において、保護スイッチＲＳ１、ＲＳ２が、開極中の抵抗真空バルブＷ１、Ｗ２への電圧負荷を遮断する。したがって、真空バルブの定格を超える電圧が負荷されても、開極中の抵抗真空バルブＷ１、Ｗ２に絶縁破壊が起こる心配がなく、信頼性が向上する。
【００３８】
（２）他の実施形態
上記の実施形態は、本明細書において一例として提示したものであって、発明の範囲を限定することを意図するものではない。例えば、限流抵抗と抵抗真空バルブの間に放電ギャップや非線形抵抗器などの過電圧保護器を挿入することで、より高い安全性を備えた負荷時タップ切換装置も包含する。すなわち、様々な形態で実施されることができ、発明の範囲を逸脱しない範囲で、種々の省略や置き換え、変更を行うことが可能である。これらの実施形態やその変形例は、発明の範囲や要旨に含まれると同様に、特許請求の範囲に記載された発明とその均等の範囲に含まれるものである。
【００３９】
遮断状態にある保護スイッチＲＳ１、ＲＳ２と、開極状態にある抵抗真空バルブＷ１、Ｗ２の間の回路がフロート回路となることは既に述べたが、このフロート回路を解消させる構成として、図９および図１０に示すような実施形態もある。この実施形態では、中性点側通電接触子となる固定接点ＰＡ、ＱＡを備えている。
【００４０】
図１０の左側の（ｗ）が図４および図６の（ａ）の前段階を示しており、図１０の右側の（ｘ）が図５および図６の（Ａ）の前段階を示している。図１０に示すように、保護スイッチＲＳ１は、２つの固定接点ＰＡ、ＰＢと１つの可動接点ＰＣを有する切換スイッチである。また、保護スイッチＲＳ２は、２つの固定接点ＱＡ、ＱＢと１つの可動接点ＱＣを有する切換スイッチである。固定接点ＰＡ、ＱＡは中性点Ｎと接続され、固定接点ＰＢ、ＱＢは限流抵抗Ｒ１、Ｒ２と直列に接続されている。可動接点ＰＣ、ＱＣは抵抗真空バルブＷ１、Ｗ２と接続されている。固定接点ＰＡ、ＱＡは中性点Ｎと真空バルブＷ１、Ｗ２と限流抵抗Ｒ１、Ｒ２を結ぶ回路とをつなぐものである。
【００４１】
保護スイッチＲＳ１、ＲＳ２が限流抵抗Ｒ１、Ｒ２と抵抗真空バルブＷ１、Ｗ２を結ぶ回路を接続する際は、可動接点ＰＣ、ＱＣが中性点側の固定接点ＰＡ、ＱＡから開離して、限流抵抗Ｒ１、Ｒ２側の固定接点ＰＢ、ＱＢと接続する。一方、保護スイッチＲＳ１、ＲＳ２が限流抵抗Ｒ１、Ｒ２と抵抗真空バルブＷ１、Ｗ２を結ぶ回路を遮断する場合は、保護スイッチＲＳ１、ＲＳ２の可動接点ＰＣ、ＱＣが中性点Ｎに接続された固定接点ＰＡ、ＱＡと接続する。こうすることで、遮断状態にある保護スイッチＲＳ１、ＲＳ２と、開極状態にある抵抗真空バルブＷ１、Ｗ２の間のフロート回路を、解消することができる。
【００４２】
さらに、図１１および図１２は、保護スイッチ７のユニット構成の他の実施形態を示している。この実施形態では、アーム４と可動通電接触子９との間にジョイント１２を取り付けた点に特徴がある。ジョイント１２は回転支軸１３を中心にして回転自在に設置されている。ジョイント１２にはＵ字状のスライド溝１２ａが形成されており、スライド溝１２ａには可動通電接触子９端部の摺動軸８が嵌め込まれている。また、図１２に示すように、ジョイント１２には摺動部１４が設置されており、摺動部１４はアーム４の摺動溝４ａに摺動自在に挿入されている。
【００４３】
このような実施形態によれば、駆動軸１を介してアーム４から伝えられる回転動力で摺動部１４をアーム４の摺動溝４ａに沿って摺動させ、回転支軸１３を中心にジョイント１２が回転する。このとき、ジョイント１２のスライド溝１２ａに沿って摺動軸８を摺動させ、可動通電接触子９が回転軸１０を中心に回転し、通電接触子１１に対し接触または開離する。このような構成とすることで、可動通電接触子９が回転動作を行う時の負荷トルクを減少することができ、動作信頼性が大幅に向上する。
【符号の説明】
【００４４】
１…駆動軸
２…カム
３…切換スイッチ可動部
４…アーム
５…真空バルブ
６…切換スイッチ
７…保護スイッチ
８…摺動軸
９…可動通電接触子
１０…回転軸
１１…通電接触子
１２…ジョイント
１３…回転支軸
１４…摺動部
１５…絶縁筒
ＴＭ…タップ巻線
Ｔ２、Ｔ３…タップ
Ｍ１、Ｍ２…可動接触子
Ｓ…切換スイッチ
ＳＡ、ＳＢ、ＰＡ、ＰＢ、ＱＡ、ＱＢ…固定接点
ＳＣ…可動接触子
ＰＣ、ＱＣ…可動接点
Ｒ１、Ｒ２…限流抵抗
ＲＳ１、ＲＳ２…保護スイッチ
Ｗ１、Ｗ２…抵抗真空バルブ
Ｈ…主真空バルブ
Ｎ…中性点
ＮＳ…中性点側通電接触子
【図１】
2013243194.tif 000003
【図２】
2013243194.tif 000004
【図３】
2013243194.tif 000005
【図４】
2013243194.tif 000006
【図５】
2013243194.tif 000007
【図６】
2013243194.tif 000008
【図７】
2013243194.tif 000009
【図８】
2013243194.tif 000010
【図９】
2013243194.tif 000011
【図１０】
2013243194.tif 000012
【図１１】
2013243194.tif 000013
【図１２】
2013243194.tif 000014